【手続補正書】
【提出日】平成16年12月20日(2004.12.20)
【手続補正１】
【補正対象書類名】明細書
【補正対象項目名】特許請求の範囲
【補正方法】変更
【補正の内容】
【特許請求の範囲】
【請求項１】
無線通信システムにおける雑音の影響を少なくとも低減する方法であって、
（Ａ）前記無線通信システムの単一あるいは複数個のコンポーネントに影響を与えうる干渉源に帰属される雑音をモニタするステップであって、前記干渉源が、前記雑音が前記無線通信システムに実質的に点源状の角度範囲で到達するような程度まで前記無線通信システムから離れたところに存在しているステップと、
（Ｂ）前記モニタされた雑音の関数として、前記離れたところに存在する干渉源に帰属される前記雑音の影響を少なくとも低減する目的で、前記離れたところに存在する干渉源に関連する前記雑音によって影響を受けていると決定された前記無線通信システム内の前記コンポーネントのうちのひとつあるいは複数個において、少なくとも一つの操作を実行するステップと、
を有することを特徴とする雑音低減方法。
【請求項２】
前記雑音の影響を低減する前記ステップが、前記少なくとも一つの操作が実行されなかった場合に発生したはずの前記無線通信システムに対する影響を緩和するあるいは補償するステップのうちの少なくとも一つを有している請求項１に記載の雑音低減方法。
【請求項３】
前記（Ａ）のステップが、さらに、
前記離れたところに存在する干渉源によって放出された雑音信号を前記無線通信システムの前記コンポーネントに関連して配置された単一あるいは複数個のモニタリングコンポーネントを介して獲得するステップを有している請求項１に記載の雑音低減方法。
【請求項４】
前記単一あるいは複数個のモニタリングコンポーネントが、
前記無線通信システムの前記コンポーネントに関して共に位置しているかあるいは離れて位置しているかの少なくとも一方である請求項３に記載の雑音低減方法。
【請求項５】
前記（Ａ）のステップが、さらに、
前記離れたところに存在する干渉源によって放出された雑音信号を前記無線通信システムの前記コンポーネントのうちの２つあるいはそれ以上を介して獲得するステップを有している請求項第１項に記載の雑音低減方法。
【請求項６】
前記雑音が、少なくとも太陽あるいは対流圏ダクトのうちのひとつに帰属されうるものである請求項１に記載の雑音低減方法。
【請求項７】
前記離れたところに存在する干渉源に係る雑音の影響を少なくとも低減する目的の前記少なくとも一つの操作が、前記離れたところに存在する干渉源に係る前記雑音によって影響を受けていると決定された、前記無線通信システム内の基地局に係る単一あるいは複数個のモバイルユーザ局による、前記離れたところに存在する干渉源に係る前記雑音によって少なくともより少ない影響を受けていると決定された、前記無線通信システム内の別の基地局へのハンドオフを実現するステップを含んでいる請求項１に記載の雑音低減方法。
【請求項８】
前記離れたところに存在する干渉源に係る雑音の影響を少なくとも低減する目的の前記少なくとも一つの操作が、既存の通話に参加しており、前記離れたところに存在する干渉源に係る前記雑音によって影響を受けていると決定された、前記無線通信システム内の基地局に係る単一あるいは複数個のモバイルユーザ局に、その対応する送信強度を低減するように指示するステップを含んでいる請求項１に記載の雑音低減方法。
【請求項９】
前記離れたところに存在する干渉源に係る雑音の影響を少なくとも低減する目的の前記少なくとも一つの操作が、前記離れたところに存在する干渉源に係る雑音の影響あるいは起こりうる影響に関して前記無線通信システムのユーザに警告するステップを含んでいる請求項１に記載の雑音低減方法。
【請求項１０】
前記離れたところに存在する干渉源に係る雑音の影響を少なくとも低減する目的の前記少なくとも一つの操作が、前記離れたところに存在する干渉源に面したセクタにおいてより高いフレームエラーレートを許容するように単一あるいは複数個の基地局に指示するステップを含んでいる請求項１に記載の雑音低減方法。
【請求項１１】
前記離れたところに存在する干渉源に係る雑音の影響を少なくとも低減する目的の前記少なくとも一つの操作が、前記離れたところに存在する干渉源に係る前記雑音によって少なくともより影響を受けていない別のセルへ移行するためのより多くの時間をモバイルユーザ局に対して与えることを目的として、単一あるいは複数個の基地局にそれらに係る通話切断タイムアウト値を延ばすように指示するステップを含んでいる請求項１に記載の雑音低減方法。
【請求項１２】
前記離れたところに存在する干渉源に係る雑音の影響を少なくとも低減する目的の前記少なくとも一つの操作が、前記離れたところに存在する干渉源に面したアンテナによってサービスを提供されているモバイルユーザ局の数を、当該アンテナを介した通話開始をより少なく許可することによって低減するステップを含んでいる請求項１に記載の雑音低減方法。
【請求項１３】
前記離れたところに存在する干渉源に係る雑音の影響を少なくとも低減する目的の前記少なくとも一つの操作が、前記離れたところに存在する干渉源に係る前記雑音によって同様に影響を受けていると決定された基地局クラスタに対して少なくとも一つの操作を適用するステップを含んでいる請求項１に記載の雑音低減方法。
【請求項１４】
前記基地局クラスタの少なくとも一つの形状及び大きさが、前記離れたところに存在する干渉源に係る雑音に基づいて適応されている請求項１１に記載の雑音低減方法。
【請求項１５】
前記無線通信システムにおける各基地局が、角度範囲の所定の組を有するように分割されていて、各基地局が単一あるいは複数個の基地局クラスタのうちのひとつに割り当てられており、前記離れたところに存在する干渉源に係る雑音によって影響を受けているカバレージ領域及び方向が、各クラスタ内の前記角度範囲において計算された雑音測定に基づいて決定される請求項１に記載の雑音低減方法。
【請求項１６】
前記離れたところに存在する干渉源に係る雑音の影響を少なくとも低減する目的の前記少なくとも一つの操作が、前記離れたところに存在する干渉源の方向のアンテナ利得を最小化させるように単一あるいは複数個の基地局に指示するステップを含んでいる請求項１に記載の雑音低減方法。
【請求項１７】
前記離れたところに存在する干渉源の方向のアンテナ利得を最小化する前記ステップが、他の近隣の基地局からの信号をナルアウトすることによって当該基地局における相対位相及び利得を測定するステップを含んでいる請求項１６に記載の雑音低減方法。
【請求項１８】
無線通信システムにおける太陽雑音の影響を少なくとも低減する方法であって、
（Ａ）前記無線通信システムにおける単一あるいは複数個のコンポーネントに影響を与える太陽雑音をモニタするステップと、
（Ｂ）前記モニタされた雑音の関数として、前記太陽雑音の影響を少なくとも低減する目的で、前記太陽雑音によって影響を受けていると決定された前記無線通信システム内の前記コンポーネントのうちのひとつあるいは複数個において、少なくとも一つの操作を実行するステップと、
を有することを特徴とする雑音低減方法。
【請求項１９】
無線通信システムにおける雑音の影響を少なくとも低減する装置であって、
（ｉ）前記無線通信システムの単一あるいは複数個のコンポーネントに影響を与えうる干渉源に帰属される雑音をモニタする目的であって、前記干渉源は、前記雑音が前記無線通信システムに実質的に点源状の角度範囲で到達するような程度まで前記無線通信システムから離れたところに存在している目的と、
（ｉｉ）前記モニタされた雑音の関数として、前記離れたところに存在する干渉源に帰属される前記雑音の影響を少なくとも低減する目的で、前記離れたところに存在する干渉源に関連する前記雑音によって影響を受けていると決定された前記無線通信システム内の前記コンポーネントのうちのひとつあるいは複数個において、少なくとも一つの操作を開始する目的と、
で動作する少なくとも一つのプロセッサを有することを特徴とする雑音低減装置。
【請求項２０】
無線通信システムにおける太陽雑音の影響を少なくとも低減する装置であって、
（ｉ）前記無線通信システムの単一あるいは複数個のコンポーネントに影響を与えうる太陽雑音をモニタする目的と、
（ｉｉ）前記モニタされた雑音の関数として、前記太陽雑音の影響を少なくとも低減する目的で、前記太陽雑音によって影響を受けていると決定された前記無線通信システム内の前記コンポーネントのうちのひとつあるいは複数個において、少なくとも一つの操作を開始する目的と、
で動作する少なくとも一つのプロセッサを有することを特徴とする雑音低減装置。
【請求項２１】
無線通信システムにおける雑音の影響を少なくとも低減する方法であって、
（Ａ）前記無線通信システムにおける単一あるいは複数個のコンポーネントに影響を与える実質的に点状源に帰属されうる雑音をモニタするステップと、
（Ｂ）前記モニタされた雑音の関数として、前記雑音の影響を少なくとも低減する目的で前記無線通信システムを操作するステップと、
を有することを特徴とする雑音低減方法。
【請求項２２】
無線通信システムにおける雑音の影響を少なくとも低減する装置であって、
（Ａ）前記無線通信システムにおける単一あるいは複数個のコンポーネントに影響を与える実質的に点状源に帰属されうる雑音をモニタする手段と、
（Ｂ）前記モニタされた雑音の関数として、前記雑音の影響を少なくとも低減する目的で前記無線通信システムを操作する手段と、
を有することを特徴とする雑音低減装置。